(57)【要約】【課題】放送データファイルを自動的に消去する場合に、ユーザが所望する曲については消去されることを防止すること。【解決手段】  放送データファイルを消去する際に、キーワードに一致する曲に対応する正式曲ファイルがＨＤＤ１４に記録されていない場合には、放送データファイルからキーワードに一致する曲データを抽出し、放送曲ファイルとしてＨＤＤ１４に保存する。従って、ユーザが所望する曲をキーワードとして登録することによって、所望の曲が消去されることを防止できる。一方、キーワードに一致する曲に対応する正式曲ファイルがＨＤＤ１４に記録されている場合には、放送曲ファイルが保存されなくても、正式曲ファイルを再生すればよいので、放送データファイルからキーワードに一致する曲を抽出し放送曲ファイルとしてＨＤＤ１４に記録しない。【選択図】図７
2010244667.tif 000002
【特許請求の範囲】
【請求項１】
複数のコンテンツを含む放送データを受信する受信手段と、
受信した放送データを、放送データファイルとして記憶媒体に記録する第１記録手段と、
正式コンテンツファイルを前記記憶媒体に記録する第２記録手段と、
放送データファイルを消去する消去手段と、
消去する放送データファイルの中から、放送コンテンツファイルとして前記記憶媒体に記録するコンテンツを特定するキーワードを管理するキーワード管理手段と、
前記キーワードに一致する正式コンテンツファイルが前記記憶媒体に記録されているか否かを判断する記録判断手段と、
放送データファイルを消去する際に、前記キーワードに一致する正式コンテンツファイルが前記記憶媒体に記録されていないと判断された場合、消去する放送データファイルに含まれるコンテンツの中から前記キーワードに一致するコンテンツを抽出して、放送コンテンツファイルとして前記記憶媒体に記録し、前記キーワードに一致する正式コンテンツファイルが前記記憶媒体に記録されていると判断された場合、前記キーワードに一致するコンテンツを放送コンテンツファイルとして前記記憶媒体に記録しない第３記録手段とを備える、コンテンツ記録装置。
【請求項２】
正式コンテンツファイルを前記記憶媒体に記録する際に、前記記録判断手段が、前記正式コンテンツファイルに対応する前記放送コンテンツファイルが前記記憶媒体に記録されているか否かをさらに判断し、
前記正式コンテンツファイルに対応する前記放送コンテンツファイルが前記記憶媒体に記録されている場合、前記消去手段が、前記正式コンテンツファイルに対応する前記放送コンテンツファイルを前記記憶媒体から消去する、請求項１に記載のコンテンツ記録装置。
【請求項３】
前記放送データに含まれるコンテンツの放送開始時刻および放送終了時刻を特定するためのキューシートを取得する取得手段をさらに備え、
キューシートに基づいて前記放送データファイルに含まれているコンテンツを特定する、請求項１または２に記載のコンテンツ記録装置。
【請求項４】
請求項１〜３のいずれかに記載のコンテンツ記録装置の各手段をコンピュータに実行させる、コンテンツ記録プログラム。
【請求項５】
複数のコンテンツを含む放送データを受信する受信手段と、
前記放送データに含まれるコンテンツの放送開始時刻および放送終了時刻を特定するためのキューシートを取得する取得手段と、
受信した放送データを、放送データファイルとして記憶媒体に記録する第１記録手段と、
正式コンテンツファイルを前記記憶媒体に記録する第２記録手段と、
放送データファイルを消去する消去手段と、
消去する放送データファイルの中から、放送コンテンツファイルとして前記記憶媒体に記録するコンテンツを特定するキーワードを管理するキーワード管理手段と、
前記キーワードに一致する正式コンテンツファイルが前記記憶媒体に記録されているか否かを判断する記録判断手段と、
放送データファイルを消去する際に、前記キーワードに一致する正式コンテンツファイルが前記記憶媒体に記録されていないと判断された場合、消去する放送データファイルに含まれるコンテンツの中から前記キーワードに一致するコンテンツをキューシートに基づいて抽出して、放送コンテンツファイルとして前記記憶媒体に記録し、前記キーワードに一致する正式コンテンツファイルが前記記憶媒体に記録されていると判断された場合、前記キーワードに一致するコンテンツを放送コンテンツファイルとして前記記憶媒体に記録しない第３記録手段と、
ユーザ操作に基づいて再生すべきコンテンツを選択する選択手段と、
放送データファイルの中からキューシートに基づいて選択されたコンテンツを抽出して再生する、又は、選択されたコンテンツに対応する放送コンテンツファイルを再生する、又は、選択されたコンテンツに対応する正式コンテンツファイルを再生する再生手段とを備える、コンテンツ記録再生装置。
【発明の詳細な説明】
【技術分野】
【０００１】
本発明は、複数のコンテンツを含む放送データを記録するコンテンツ記録装置、及び、複数のコンテンツを含む放送データを記録し、かつ、コンテンツを再生するするコンテンツ記録再生装置に関する。
【背景技術】
【０００２】
ＨＤＤレコーダやＰＣ等のコンテンツ記録再生装置は、ラジオ又はテレビで放送される音楽や映像等のコンテンツをＨＤＤ等の記憶媒体に記録し、記録した放送データファイルの中から選択されたコンテンツを再生することができる。しかし、ユーザは所望のコンテンツがいつ放送されるかはわからない。例えばラジオのＦＭ放送では、所望の曲がある番組中に放送されることがあらかじめわかる場合もあるが、番組中にはＣＭやＤＪが入るので、所望の曲が番組中のいつ放送されるかまではわからない。
【０００３】
この問題を解決するために、下記特許出願１において、キューシートを利用して所望の曲を抽出して再生するコンテンツ記録再生装置が提案されている。このコンテンツ記録再生装置は、放送された曲の放送開始時刻や曲名等を記述したキューシートをサーバから取得する。コンテンツ記録再生装置は、常にＦＭ放送を受信し、受信された放送データを全てＨＤＤに記録する。そして、キューシートを参照して、録音された全放送データから所望の曲を抽出して再生する。
【０００４】
下記特許文献１のコンテンツ記録再生装置は、受信した放送データの全てを、所定時間毎の放送データファイルに分割し、ＨＤＤに記録する。ここで、常時放送データをＨＤＤに記録しているので、ＨＤＤの空き容量がなくなると、放送データをＨＤＤに記録できなくなる。そこで、コンテンツ記録再生装置は、古い放送データファイルを自動的に消去する。しかし、放送データファイルを自動的に消去すると、消去した放送データファイルに含まれている曲データについては、キューシートを参照して、放送データファイルから抽出して再生することができなくなる。
【先行技術文献】
【特許文献】
【０００５】
【特許文献１】特開２００７−５９０３５号
【発明の概要】
【発明が解決しようとする課題】
【０００６】
本発明は上記従来の課題を解決するためになされたものであり、放送データファイルを自動的に消去する場合に、ユーザが所望する曲については消去されることを防止できるコンテンツ記録装置を提供することである。
【課題を解決するための手段】
【０００７】
本発明の好ましい実施形態によるコンテンツ記録装置は、複数のコンテンツを含む放送データを受信する受信手段と、受信した放送データを、放送データファイルとして記憶媒体に記録する第１記録手段と、正式コンテンツファイルを前記記憶媒体に記録する第２記録手段と、放送データファイルを消去する消去手段と、消去する放送データファイルの中から、放送コンテンツファイルとして前記記憶媒体に記録するコンテンツを特定するキーワードを管理するキーワード管理手段と、前記キーワードに一致する正式コンテンツファイルが前記記憶媒体に記録されているか否かを判断する記録判断手段と、放送データファイルを消去する際に、前記キーワードに一致する正式コンテンツファイルが前記記憶媒体に記録されていないと判断された場合、消去する放送データファイルに含まれるコンテンツの中から前記キーワードに一致するコンテンツを抽出して、放送コンテンツファイルとして前記記憶媒体に記録し、前記キーワードに一致する正式コンテンツファイルが前記記憶媒体に記録されていると判断された場合、前記キーワードに一致するコンテンツを放送コンテンツファイルとして前記記憶媒体に記録しない第３記録手段とを備える。
【０００８】
放送データファイルを消去する際に、キーワードに一致するコンテンツに対応する正式コンテンツファイルが記録されていない場合には、放送データファイルからキーワードに一致するコンテンツを抽出して、放送コンテンツファイルとして記憶媒体に記録する。従って、ユーザが所望するコンテンツをキーワードとして登録することによって、所望のコンテンツファイルが消去されることを防止できる。一方、キーワードに一致するコンテンツに対応する正式コンテンツファイルが記録されている場合には、放送コンテンツファイルがなくても、正式コンテンツファイルを再生すればよいので、放送データファイルからキーワードに一致するコンテンツを抽出し放送コンテンツファイルとして記憶媒体に記録しない。従って、無駄に記憶媒体の記憶容量を消費することを防止できる。
【０００９】
好ましい実施形態においては、正式コンテンツファイルを前記記憶媒体に記録する際に、前記記録判断手段が、前記正式コンテンツファイルに対応する前記放送コンテンツファイルが前記記憶媒体に記録されているか否かをさらに判断し、前記正式コンテンツファイルに対応する前記放送コンテンツファイルが前記記憶媒体に記録されている場合、前記消去手段が、前記正式コンテンツファイルに対応する前記放送コンテンツファイルを前記記憶媒体から消去する。
【００１０】
キーワードに一致するコンテンツに対応する正式コンテンツファイルが新たに記録される場合には、放送コンテンツファイルが不要になるので、正式コンテンツファイルに対応する放送コンテンツファイルを消去する。従って、無駄に記憶媒体の記憶容量を消費することを防止できる。
【００１１】
好ましい実施形態においては、前記放送データに含まれるコンテンツの放送開始時刻および放送終了時刻を特定するためのキューシートを取得する取得手段をさらに備え、キューシートに基づいて前記放送データファイルに含まれているコンテンツを特定する。
【００１２】
本発明の好ましい実施形態によるコンテンツ記録再生装置は、複数のコンテンツを含む放送データを受信する受信手段と、前記放送データに含まれるコンテンツの放送開始時刻および放送終了時刻を特定するためのキューシートを取得する取得手段と、受信した放送データを、放送データファイルとして記憶媒体に記録する第１記録手段と、正式コンテンツファイルを前記記憶媒体に記録する第２記録手段と、放送データファイルを消去する消去手段と、消去する放送データファイルの中から、放送コンテンツファイルとして前記記憶媒体に記録するコンテンツを特定するキーワードを管理するキーワード管理手段と、前記キーワードに一致する正式コンテンツファイルが前記記憶媒体に記録されているか否かを判断する記録判断手段と、放送データファイルを消去する際に、前記キーワードに一致する正式コンテンツファイルが前記記憶媒体に記録されていないと判断された場合、消去する放送データファイルに含まれるコンテンツの中から前記キーワードに一致するコンテンツをキューシートに基づいて抽出して、放送コンテンツファイルとして前記記憶媒体に記録し、前記キーワードに一致する正式コンテンツファイルが前記記憶媒体に記録されていると判断された場合、前記キーワードに一致するコンテンツを放送コンテンツファイルとして前記記憶媒体に記録しない第３記録手段と、ユーザ操作に基づいて再生すべきコンテンツを選択する選択手段と、放送データファイルの中からキューシートに基づいて選択されたコンテンツを抽出して再生する、又は、選択されたコンテンツに対応する放送コンテンツファイルを再生する、又は、選択されたコンテンツに対応する正式コンテンツファイルを再生する再生手段とを備える。
【発明の効果】
【００１３】
放送データファイルを自動的に消去する場合に、ユーザが所望する曲については消去されることを防止できる。
【発明を実施するための形態】
【００１４】
以下、本発明の好ましい実施形態について、図面を参照して具体的に説明するが、本発明はこれらの実施形態には限定されない。
［全体構成］
図１は、本発明の好ましい実施形態によるコンテンツ記録再生システムを示すブロック図である。コンテンツ記録再生システムは、コンテンツ記録再生装置１およびサーバ（キューシートサーバ）１００を備える。コンテンツ記録再生装置１はラジオやＴＶ等の放送データ（以下、ラジオ放送データとする。）を受信し、所定時間毎の放送データを、放送データファイルとしてＨＤＤ１４に記録する。サーバ１００は、図示しない複数の放送局サーバについて、キューシート（番組進行表）を取得して保持している。コンテンツ記録再生装置１は、サーバ１００からキューシートを取得し、キューシートに基づいて、記録した放送データファイルの中から所望の曲データを抽出して、再生する。なお、コンテンツ記録再生装置１において、再生機能を有さない装置をコンテンツ記録装置と定義する。
【００１５】
［コンテンツ記録再生装置１の構成］
コンテンツ記録再生装置１は、制御部１１、メモリ（ＲＯＭ及び／又はＲＡＭ）１２、受信部１３、ＨＤＤ（Hard Disk Drive）１４、ＣＤドライブ１５、通信部１６、及び、再生部１７を備える。制御部１１は、メモリ１２に格納されているコンテンツ記録再生装置１の動作プログラムに基づいてコンテンツ記録再生装置１を制御するものであり、例えば、マイコンやＣＰＵ等である。
【００１６】
受信部１３は、図示しない放送局から放送される複数のコンテンツを含む放送データを受信する。コンテンツとは、音楽（曲）、映像および／または静止画等のデータの総称であり、本例では曲データである。放送はＴＶ放送またはラジオ放送等であり、デジタル放送、アナログ放送、衛星放送またはインターネット放送等の任意の放送が採用され得る。本例では、複数の曲データを含むＦＭ放送を例に説明する。
【００１７】
ＨＤＤ１４は、受信部１３によって受信された放送データを記録する。受信部１３で受信された放送データがアナログ形式である場合には、放送データがアナログ−デジタル変換されてＨＤＤ１４に記録される。特に限定されないが、放送データは、所定時間（例えば１時間）毎の放送データファイル（例えばＭＰ３ファイル）に分割され、ＨＤＤ１４に記録される。
【００１８】
ＨＤＤ１４には、図２に示す放送データファイルリストが格納されている。放送データファイルリストは、ＨＤＤ１４に記録されている全ての放送データファイルについて、放送局名、録音開始時刻、及び、録音終了時刻を管理するリストである。
【００１９】
放送データは受信部１３によって常時受信され、ＨＤＤ１４に記録されるので、ＨＤＤ１４には多数の放送データファイルが記録されることになる。その結果、ＨＤＤ１４の空き容量がなくなると、これ以上の放送データファイルをＨＤＤ１４に記録できなくなる。そこで、制御部１１は、放送データファイルリストを参照し、所定時間（例えば１０日間）以上前の放送データファイルを自動的に消去する。
【００２０】
また、ＨＤＤ１４には、ＣＤドライブ１５に挿入されたＣＤに記録されている曲データが、所定フォーマット（例えばＭＰ３形式）の曲ファイルに変換され、記録される。又は、ＨＤＤ１４には、通信部１６を介してインターネット経由で図示しない外部サーバからダウンロードされた曲ファイル（例えばＭＰ３形式）が記録される。ここで、放送データファイルから抽出した曲ファイル（この曲ファイルを放送曲ファイルという。詳細後述。）ではなく、ＣＤからの録音又はインターネットからのダウンロードによってＨＤＤ１４に記録された曲ファイルのことを、正式曲ファイルという。つまり、正式曲ファイルは、ラジオ放送のように曲の一部だけ、又は、ＤＪが含まれているということがなく、完全な状態で記録されている曲ファイルのことである。
【００２１】
ＨＤＤ１４には、図３に示すコンテンツ情報データベース（以下、コンテンツ情報ＤＢという。）が格納されている。コンテンツ情報ＤＢは、ＨＤＤ１４に記録されている全ての正式曲ファイルについて、アーティスト名、アルバム名、曲名等のコンテンツ情報（メタデータともいう。）を管理するデータベースである。コンテンツ情報ＤＢは、コンテンツ情報の他に正式曲ファイルのＨＤＤ１４におけるアドレス等も管理されている。
【００２２】
通信部１６は、インターネット等の任意の電気通信回線を介してサーバ１００に接続し、サーバ１００からキューシートを取得する。図４は、放送局Ｘのキューシートの一例を示す図である。キューシートは、放送局名と、曲名と、アーティスト名と、放送開始時刻と、放送終了時刻とを含む。例えば、放送局Ｘについて、２００９年１月１日の１７時００分〜１７時１０分にアーティト名ａａａ、曲名ＡＡＡの曲が放送されたことを示している。
【００２３】
再生部１７は、ＨＤＤ１４に記録されている放送データファイルの中から、キューシートに基づいて、所望の曲データを抽出して再生する。コンテンツ記録再生装置１の図示しない表示部には、キューシートに基づいて、アーティスト名及び曲名の一覧である曲リストが表示され、ユーザ操作によって曲リストの中から所望の曲が選択される。例えば、ユーザ操作によってアーティスト名ａａａ、曲名ＡＡＡの曲の再生指示が入力された場合、図４のキューシートを参照し、制御部１１は、再生すべき曲データが、放送局Ｘの２００９年１月１日の１７時００分〜１７時１０分に放送されたデータであることを判断する。そして、制御部１１は、図２の放送データファイルリストの中から、放送局Ｘの２００９年１月１日の１７時００分〜１７時１０分の放送データを含む放送データファイル（すなわち、放送局Ｘの２００９年１月１日の１７時００分〜１８時００分の放送データファイル）を特定する。制御部１１は、特定した放送データファイルの中から１７時００分〜１７時１０分に相当する部分のデータを抽出して、再生部１７に再生させる。
【００２４】
また、再生部１７は、ＨＤＤ１４に記録されている正式曲ファイルの中から、ユーザ操作によって選択された所望の曲ファイルを選択して再生する。ここで、キューシートに記載されている曲と、正式曲ファイルとを全て含む曲リストを表示部に表示し、ユーザ操作によって曲を選択するようにしてもよい。このとき、選択された曲について、正式曲ファイルがＨＤＤ１４に記録されている場合には、放送曲ファイルよりも優先して正式曲ファイルを再生し、正式曲ファイルがＨＤＤ１４に記録されていない場合に、放送曲ファイルを放送データファイルから抽出して再生するようにしてもよい。
【００２５】
制御部１１は、図２の放送データファイルリストを参照し、放送データファイルを消去する際に、ユーザが所望する曲を放送データファイルから抽出し、ＨＤＤ１４に放送曲ファイルとして保存した後、放送データファイルを消去する。
【００２６】
ＨＤＤ１４には、図５に示すキーワードテーブルが格納されている。キーワードテーブルは、放送データファイルを消去する際に、ＨＤＤ１４に保存する放送曲ファイルを特定するキーワードを管理するテーブルである。キーワードテーブルには、キーワードとして、例えば、ユーザ操作によって入力された曲名とアーティスト名とが記憶されている。図５を参照すると、曲名ＢＢＢ及びアーティスト名ｂｂｂの曲と、曲名ＺＺＺ及びアーティスト名ｚｚｚの曲とを放送曲ファイルとして保存することを示している。
【００２７】
詳細には、制御部１１は、放送データファイルを消去する際に、消去する放送データファイルにキーワードテーブルに登録されているキーワードに一致する曲データが含まれているか否かを判断する。含まれている場合には、その曲に対応する正式曲ファイルがＨＤＤ１４に記録されているかを判断する。正式曲ファイルがＨＤＤ１４に記録されていない場合には、その曲を放送データファイルから放送曲ファイルとして抽出し、ＨＤＤ１４に保存する。一方、正式曲ファイルがＨＤＤ１４に記録されている場合には、その曲を放送データファイルから放送曲ファイルとして抽出せず、ＨＤＤ１４に保存しない。
【００２８】
放送曲ファイルとしてＨＤＤ１４に保存した曲については、図６に示す放送コンテンツ情報ＤＢに曲名及びアーティスト名（並びに放送曲ファイルのＨＤＤ１４上のアドレス）が管理される。従って、キューシートに基づいて表示部に曲リストが表示され、ユーザ操作によって再生すべき曲が選択されたとき、選択された曲データが含まれる放送データファイルが既に消去されている場合には、再生部１７は、放送データファイルから曲データを抽出して再生することはできないが、代わりに、ＨＤＤ１４に保存されている放送曲ファイルを再生する。又は、再生部１７は、ＨＤＤ１４に記録されている正式曲ファイルを再生する。
【００２９】
制御部１１は、ＨＤＤ１４に新たな正式曲ファイルが記録される場合、記録される正式曲ファイルに対応する放送曲ファイルがＨＤＤ１４に保存されているか否かを、図６の放送コンテンツ情報ＤＢを参照して判断する。保存されている場合には、制御部１１は、記録する正式曲ファイルに対応する放送曲ファイルをＨＤＤ１４から消去する。従って、この後、キューシートに基づいて表示部に曲リストが表示され、ユーザ操作によって再生すべき曲が選択されたとき、選択された曲が含まれる放送データファイルが既に消去されており、かつ、放送曲ファイルも消去されているが、ＨＤＤ１４に記録されている正式曲ファイルを再生することができる。
【００３０】
［コンテンツ記録再生装置１の動作］
図７は、制御部１１の放送データファイル消去処理を示すフローチャートである。制御部１１は、図５のキーワードテーブルを参照し、放送データファイルを消去する際に保存する放送曲ファイルを特定するアーティスト名及び曲名を特定する（Ｓ１）。次に、制御部１１は、図２の放送データファイルリストを参照し、消去する放送データファイルを特定する（Ｓ２）。例えば、放送局Ｘの２００９年１月１日の１７時００分〜１８時００分の放送データファイルが消去する放送データファイルとして特定される。
【００３１】
制御部１１は、消去する放送データファイルに、放送曲ファイルとして保存する曲データが含まれているか否かを判断する（Ｓ３）。すなわち、キーワードテーブルの中から、保存する放送曲ファイルを示すアーティスト名及び曲名を１つ選択する。例えば、アーティスト名ｂｂｂ及び曲名ＢＢＢを選択する。次に、キューシートを参照して、放送局Ｘの２００９年１月１日の１７時００分〜１８時００分の放送データファイルに、アーティスト名ｂｂｂ及び曲名ＢＢＢの曲データが含まれているか否かを判断する。図４を参照すると、放送局Ｘの２００９年１月１日の１７時１０分〜１７時１５分のデータが、アーティスト名ｂｂｂ及び曲名ＢＢＢの曲データである（Ｓ３でＹＥＳ）。
【００３２】
次に、制御部１１は、キーワード（アーティスト名ｂｂｂ及び曲名ＢＢＢ）に一致する正式曲ファイルがＨＤＤ１４に記録されているか否かを判断する（Ｓ４）。すなわち、制御部１１は、図３に示すコンテンツ情報ＤＢに、アーティスト名ｂｂｂ及び曲名ＢＢＢが登録されているか否かを判断する。コンテンツ情報ＤＢにアーティスト名ｂｂｂ及び曲名ＢＢＢが登録されていない場合（Ｓ４でＮＯ）、キーワード（アーティスト名ｂｂｂ及び曲名ＢＢＢ）に一致する曲データを放送データファイルから抽出し、放送曲ファイルとしてＨＤＤ１４に保存する（Ｓ５）。詳細には、図４のキューシートを参照すると、アーティスト名ｂｂｂ及び曲名ＢＢＢの曲データは放送局Ｘの２００９年１月１日の１７時１０分〜１７時１５分のデータであるので、放送データファイルからその部分のデータを抽出して、放送曲ファイルとしてＨＤＤ１４に保存する。
【００３３】
その後、制御部１１は、保存した放送曲ファイルのコンテンツ情報（アーティスト名ｂｂｂ及び曲名ＢＢＢ）を、図６の放送コンテンツ情報ＤＢに登録する（Ｓ６）。すなわち、アーティスト名ｂｂｂ及び曲名ＢＢＢの放送曲ファイルがＨＤＤ１４に保存されていることが記憶される。
【００３４】
制御部１１は、全てのキーワードについて以上の処理を終了したかを判断する（Ｓ７）。ここでは、アーティスト名ｚｚｚ及び曲名ＺＺＺが未だ処理されていないので（Ｓ７でＮＯ）、Ｓ３に戻る。アーティスト名ｚｚｚ及び曲名ＺＺＺの曲は、図４のキューシートを参照すると、放送局Ｘの２００９年１月１日の１７時００分〜１８時００分の放送データファイルには含まれていない（Ｓ３でＮＯ）。従って、アーティスト名ｚｚｚ及び曲名ＺＺＺの放送曲ファイルを保存することなく、Ｓ７に進む。
【００３５】
Ｓ７において、全てのキーワードについて処理済みであると判断されると（Ｓ７でＹＥＳ）、制御部１１は、放送データファイルをＨＤＤ１４から消去する（Ｓ８）。その後、制御部１１は、図２の放送データファイルリストから、消去した放送データファイルの情報を削除する。なお、Ｓ４において、キーワードに一致する正式曲ファイルがＨＤＤ１４に記録されている場合には、放送曲ファイルをＨＤＤ１４に保存する必要がないので、放送曲ファイルを保存することなく、Ｓ７に進む。
【００３６】
図８は、制御部１１の正式曲ファイル記録処理を示すフローチャートである。制御部１１は、ＣＤ又はインターネット経由のダウンロードによって正式曲ファイルをＨＤＤ１４に記録する場合（Ｓ１１）、記録する正式曲ファイルのアーティスト名及び曲名を特定する。制御部１１は、記録された正式曲ファイルのアーティスト名及び曲名が、図５のキーワードテーブルに登録されているキーワードに一致するか否かを判断する（Ｓ１２）。一致しなければ（Ｓ１２でＮＯ）、記録した正式曲ファイルに対応する放送曲ファイルがＨＤＤ１４に記録されていないので、処理を終了する。
【００３７】
一方、一致する場合（Ｓ１２でＹＥＳ）、一致したキーワードにアーティスト名及び曲名が一致する放送曲ファイルがＨＤＤ１４に記録されているか否かを、図６の放送コンテンツ情報ＤＢを参照し、判断する（Ｓ１３）。記録される正式曲ファイルのアーティスト名ｂｂｂ、曲名ＢＢＢである場合、対応する放送曲ファイルがＨＤＤ１４に記録されている（Ｓ１３でＹＥＳ）。従って、制御部１１は、一致したキーワードにアーティスト名及び曲名が一致する放送曲ファイル（アーティスト名ｂｂｂ及び曲名ＢＢＢ）の放送曲ファイルをＨＤＤ１４から消去する（Ｓ１４）。その後、ＨＤＤ１４から消去した放送曲ファイルのコンテンツ情報（アーティスト名及び曲名）を、図６の放送コンテンツ情報ＤＢから削除する。
【００３８】
一方、記録される正式曲ファイルのアーティスト名がｚｚｚ、曲名がＺＺＺである場合、対応する放送曲ファイルがＨＤＤ１４に記録されていない（Ｓ１３でＮＯ）。従って、放送曲ファイルの消去処理を実行することなく、処理を終了する。
【００３９】
図９は、制御部１１の再生処理を示すフローチャートである。制御部１１は、表示部にキューシートに基づいて曲リストを表示させ、ユーザ操作に基づいて再生すべき曲のアーティスト名及び曲名を選択する（Ｓ２１）。
【００４０】
制御部１１は、選択された曲データが含まれる放送データファイルがＨＤＤ１４に記録されているか否かを判断する（Ｓ２２）。詳細には、図４のキューシートを参照し、選択された曲に対応する放送局と、放送開始時刻と、放送終了時刻とを特定し、図２の放送データファイルリストを参照し、対応するデータが含まれる放送データファイルが存在するか否かを判断する。
【００４１】
例えば、アーティスト名ｂｂｂ及び曲名ＢＢＢの曲が選択された場合、キューシートを参照すると、選択された曲は放送局Ｘの２００９年１月１日の１７時１０分〜１７時１５分のデータであり、図２の放送データファイルリストを参照すると、このデータを含む、放送局Ｘの２００９年１月１日の１７時００分〜１８時００分の放送データファイルが存在すると判断される（Ｓ２２でＹＥＳ）。
【００４２】
この場合、制御部１１は、選択された曲データを放送データファイルから抽出して再生部１７に再生させる（Ｓ２３）。すなわち、制御部１１は、放送局Ｘの２００９年１月１日の１７時００分〜１８時００分の放送データファイルの中から、１７時１０分〜１７時１５分のデータを抽出して、再生部１７に再生させる。
【００４３】
一方、アーティスト名ｂｂｂ及び曲名ＢＢＢの曲が選択され、キューシートを参照すると、選択された曲が放送局Ｘの２００９年１月１日の１７時１０分〜１７時１５分のデータであり、図２の放送データファイルリストを参照すると、このデータを含む放送データファイルが既に消去されており存在しない場合（Ｓ２２でＮＯ）、制御部１１は、選択された曲に対応する放送曲ファイルがＨＤＤ１４に記録されているか否かを判断する（Ｓ２４）。詳細には、選択された曲のアーティスト名及び曲名が図６の放送コンテンツ情報ＤＢに登録されているか否かを判断する。
【００４４】
選択された曲のアーティスト名及び曲名が図６の放送コンテンツ情報ＤＢに登録されている場合（Ｓ２４でＹＥＳ）、制御部１１は、ＨＤＤ１４から、選択された曲のアーティスト名及び曲名を有する放送曲ファイルを読み出して、再生部１７に再生させる。
【００４５】
選択された曲のアーティスト名及び曲名が図６のコンテンツ情報ＤＢに登録されていない場合（Ｓ２４でＮＯ）、制御部１１は、選択された曲に対応する正式曲ファイルがＨＤＤ１４に記録されているか否かを判断する（Ｓ２６）。詳細には、選択された曲のアーティスト名及び曲名が図３のコンテンツ情報ＤＢに登録されているか否かを判断する。
【００４６】
選択された曲のアーティスト名及び曲名が図３のコンテンツ情報ＤＢに登録されている場合（Ｓ２６でＹＥＳ）、制御部１１は、ＨＤＤ１４から、選択された曲のアーティスト名及び曲名を有する正式曲ファイルを読み出して、再生部１７に再生させる。一方、選択された曲のアーティスト名及び曲名が図３のコンテンツ情報ＤＢに登録されていない場合（Ｓ２６でＮＯ）、制御部１１は、選択された曲は記録されていない旨のエラー表示を表示部に表示させる（Ｓ２８）。
【００４７】
以上のように、本実施形態によると、古い放送データファイルを消去することによってＨＤＤ１４の空き容量を確保する場合にも、ユーザが所望する曲ファイルについてはいつまでもＨＤＤ１４に保存され、再生することができる。
【００４８】
以上、本発明の好ましい実施形態を説明したが、本発明はこれらの実施形態には限定されない。放送データからコンテンツを特定する方法は、キューシートに限定されず、ＦＭ文字多重放送に多重されて送信されるコンテンツ情報を用いてもよい。上記のコンテンツ情報記録装置を動作させるためのコンピュータプログラムまたはそのコンピュータプログラムを記録した記録媒体という形態で提供されてもよい。
【産業上の利用可能性】
【００４９】
本発明は、ＨＤＤレコーダ又はＰＣ等に好適に採用され得る。
【図面の簡単な説明】
【００５０】
【図１】本発明の好ましい実施形態によるコンテンツ記録再生システムの構成を示すブロック図である。
【図２】放送データファイルリストを示すブロック図である。
【図３】コンテンツ情報ＤＢを示す図である。
【図４】キューシートを示す図である。
【図５】キーワードテーブルを示す図である。
【図６】放送コンテンツ情報ＤＢを示す図である。
【図７】放送データファイル消去処理を示すフローチャートである。
【図８】正式曲ファイル記録処理を示すフローチャートである。
【図９】再生処理を示すフローチャートである。
【符号の説明】
【００５１】
１          コンテンツ記録再生装置
１１        制御部
１２        メモリ
１３        受信部
１４        ＨＤＤ
１５        ＣＤドライブ
１６        通信部
１７        再生部
１００      サーバ
【図１】
2010244667.tif 000003
【図２】
2010244667.tif 000004
【図３】
2010244667.tif 000005
【図４】
2010244667.tif 000006
【図５】
2010244667.tif 000007
【図６】
2010244667.tif 000008
【図７】
2010244667.tif 000009
【図８】
2010244667.tif 000010
【図９】
2010244667.tif 000011